(57)【要約】      （修正有）【課題】結束及び結束時の切断が容易となるバッグシーラーを提供する。【解決手段】周方向に複数の突起部４１と複数の溝部４４とを交互に有すると共に、突起部の外周で粘着テープを回転支持するガイドローラ４と、被結束物が移動することに連動して切断カッター１７を進出させて、切断カッターにより粘着テープを切断する切断部７と、粘着テープが巻回された巻回体１００を回転可能に保持し、粘着テープをガイドローラへと供給する巻回体保持部５１と、を備え、巻回体保持部は、巻回体から粘着テープが引き出されるときの巻回体の回転に抵抗を付加する抵抗付加部材を備える。【選択図】図２
2018140825.tif 000002
【特許請求の範囲】
【請求項１】
被結束物を粘着テープで巻回して前記粘着テープの粘着面同士を接着させ、前記被結束物を結束するバッグシーラーであって、
周方向に複数の突起部と複数の凹部とを交互に有すると共に、前記突起部の外周で前記粘着テープを回転支持するガイドローラと、
前記被結束物が移動することに連動して切断カッターを進出させて、前記切断カッターにより前記粘着テープを切断する切断部と、
前記粘着テープが巻回された巻回体を回転可能に保持し、前記粘着テープを前記ガイドローラへと供給する巻回体保持部と、
を備え、
前記巻回体保持部は、前記巻回体から前記粘着テープが引き出されるときの前記巻回体の回転に抵抗を付加する抵抗付加部材を有することを特徴とするバッグシーラー。
【請求項２】
前記巻回体保持部は、前記巻回体をリールを介して回転可能に保持し、
前記抵抗付加部材は、前記巻回体及び前記リールの少なくとも一つを幅方向外側から挟持して付勢する板バネであることを特徴とする請求項１に記載のバッグシーラー。
【請求項３】
前記板バネは、前記巻回体が前記巻回体保持部に挿入されるときの挿入方向と略平行に備えられることを特徴とする請求項２に記載のバッグシーラー。
【請求項４】
前記抵抗付加部材は、前記巻回体から前記粘着テープが引き出される位置と、前記粘着テープを支持する前記ガイドローラとの間に備えられることを特徴とする請求項１から３のいずれか一つに記載のバッグシーラー。
【請求項５】
前記抵抗付加部材は、前記巻回体の外周側から前記巻回体を押圧する押圧部であることを特徴とする請求項１に記載のバッグシーラー。
【請求項６】
前記ガイドローラの前記突起部の外周に、前記粘着テープの幅と略同一の幅に形成された溝部を有することを特徴とする請求項１から５のいずれか一つに記載のバッグシーラー。
【請求項７】
前記巻回体保持部、前記ガイドローラ及び前記切断部を挟持する一対の側プレートを備え、
前記一対の側プレートは、前記ガイドローラが備えられる箇所で、前記粘着テープの幅と略同一の幅に形成された狭窄部を有することを特徴とする請求項１から５のいずれか一つに記載のバッグシーラー。
【請求項８】
前記切断部に対向して備えられ、周方向に複数の第２突起部と複数の第２凹部とを交互に有する共に、切断時に、前記第２凹部に前記被結束物を収容する切断ガイドローラを備え、
前記切断部は、前記切断ガイドローラが前記被結束物を収容した状態で、前記粘着テープを切断することを特徴とする請求項１から７のいずれか一つに記載のバッグシーラー。
【請求項９】
前記ガイドローラと前記切断部との間に、前記粘着テープをその外周に粘着支持する回転ローラを備え、
前記切断部は、前記回転ローラが前記粘着テープをその外周に粘着支持した状態で、かつ、前記回転ローラの直近で、前記粘着テープを切断することを特徴とする請求項１から７のいずれか一つに記載のバッグシーラー。
【発明の詳細な説明】
【技術分野】
【０００１】
本発明は、被結束物を粘着性のテープにより結束するバッグシーラーに関する。
【背景技術】
【０００２】
紙袋やビニール袋の開口部分を結束するために、袋の開口部分を絞り、絞り部分（被結束物）に粘着テープを巻回することにより絞り部分を封じると共に、粘着テープの粘着面同士を接着させることで、袋の開口部分を結束する結束装置（バッグシーラー）が知られている。
【０００３】
このようなバッグシーラーに用いられる粘着テープは、従来、セロハンテープ、ＰＥＴ基材テープ、ポリプロピレン基材テープ等の樹脂基材のテープが一般的であった。しかしながら、樹脂基材の粘着テープは容易に切断しないという利点ある一方、接着した粘着面同士が強固に接着して分離しにくいため、袋を容易に開封することが難しいという問題がある。
【０００４】
このような問題に対して、粘着テープの粘着面の粘着剤を粘着テープの長手方向に離散的に配置して、袋の絞り部分を結束したときに、切断部分に粘着剤が配置されていない部分切断位置となるようにすることで、粘着テープが分離しやすくなるように構成した粘着テープを用いたバッグシーラーも知られている（特許文献１参照）。
【先行技術文献】
【特許文献】
【０００５】
【特許文献１】特開２００６−１０９５７６号公報
【発明の概要】
【発明が解決しようとする課題】
【０００６】
近年は、樹脂基材の粘着テープではなく、クラフト紙や和紙等の紙基材の粘着テープを用いることも提案されている。紙基材の粘着テープは、樹脂基材の粘着テープと比較してテープ同士を剥がしやすいので開封が容易となる。さらに、材料が紙であるため、リサイクルの観点からも好ましいという利点がある。
【０００７】
一方で、紙基材の粘着テープは、樹脂基材の粘着テープと比較すると粘着テープ自体が伸びにくく、バッグシーラーでの切断時にカッターの刃が当たったときに粘着テープに刃が食い込むより先に粘着テープが逃げてしまい、切断し難いという問題がある。さらに、紙基材の粘着テープは樹脂基材に対して粘着剤の粘着力が弱いため、粘着テープの巻回体の展開力が低く、その結果切断時に粘着テープのテンションが弱くなることで上記と同様に粘着テープが逃げやすくなり、切断し難いという問題もある。
【０００８】
本発明は、このような問題点に着目してなされたものであり、紙基材の粘着テープを使用しても、切断が容易となるバッグシーラーを提供することを目的とする。
【課題を解決するための手段】
【０００９】
本発明のある実施態様によると、被結束物を粘着テープで巻回して粘着テープの粘着面同士を接着させ、被結束物を結束するバッグシーラーであって、周方向に複数の突起部と複数の溝部とを交互に有すると共に、突起部の外周で粘着テープを回転支持するガイドローラと、被結束物が誘導路を移動することに連動して切断カッターを誘導路に進出させて、切断カッターにより粘着テープを切断する切断部と、粘着テープが巻回された巻回体を回転可能に保持し、粘着テープをガイドローラへと供給する巻回体保持部と、を備え、巻回体保持部は、巻回体から粘着テープが引き出されるときの巻回体の回転に抵抗を付加する抵抗部材を有することを特徴とする。
【発明の効果】
【００１０】
上記態様によると、抵抗付加部材により巻回体の回転に抵抗が付加されることにより粘着テープにテンションがかけられ、バッグシーラーでの切断時に粘着テープに刃が食い込みやすくなり、粘着テープが刃から逃げることがないので、紙基材の粘着テープを用いても従来の樹脂基材の粘着テープと同様に、切断が容易となる。
【図面の簡単な説明】
【００１１】
【図１】本発明の第１実施形態の結束装置の斜視図である。
【図２】本発明の第１実施形態の結束装置の三面図である。
【図３】本発明の第１実施形態の切断部の斜視図である。
【図４Ａ】本発明の第１実施形態の結束装置における結束を示す説明図である。
【図４Ｂ】本発明の第１実施形態の結束装置における結束を示す説明図である。
【図４Ｃ】本発明の第１実施形態の結束装置における結束を示す説明図である。
【図４Ｄ】本発明の第１実施形態の結束装置における結束を示す説明図である。
【図４Ｅ】本発明の第１実施形態の結束装置における結束を示す説明図である。
【図４Ｆ】本発明の第１実施形態の結束装置における結束を示す説明図である。
【図４Ｇ】本発明の第１実施形態の結束装置における結束を示す説明図である。
【図４Ｈ】本発明の第１実施形態の結束装置における結束を示す説明図である。
【図５】本発明の第２実施形態の結束装置の三面図である。
【図６Ａ】本発明の第２実施形態の結束装置における結束を示す説明図である。
【図６Ｂ】本発明の第２実施形態の結束装置における結束を示す説明図である。
【図６Ｃ】本発明の第２実施形態の結束装置における結束を示す説明図である。
【図６Ｄ】本発明の第２実施形態の結束装置における結束を示す説明図である。
【図６Ｅ】本発明の第２実施形態の結束装置における結束を示す説明図である。
【図６Ｆ】本発明の第２実施形態の結束装置における結束を示す説明図である。
【図６Ｇ】本発明の第２実施形態の結束装置における結束を示す説明図である。
【図６Ｈ】本発明の第２実施形態の結束装置における結束を示す説明図である。
【図７】本発明の第３実施形態の結束装置の三面図である。
【図８】本発明の第４実施形態の結束装置の三面図である。
【発明を実施するための形態】
【００１２】
以下に、本発明の実施形態の結束装置１を図面を参照して説明する。
【００１３】
＜第１実施形態＞
図１は、本発明の第１実施形態の結束装置（バッグシーラー）１の一例を示す斜視図であり、図２は、本発明の第１実施形態の結束装置１の三面図である。
【００１４】
図１に示すように、結束装置１は、ポリ袋、紙袋等の袋の開口を絞った絞り部分（以下、「被結束物」と呼ぶ）を入口部２１から取出口２２へと通過させる過程で、被結束物に粘着テープ１０を巻回し、さらに粘着テープ１０の粘着面同士を接着させた上で適切な長さを残して切断して、開口を結束する装置である。
【００１５】
粘着テープ１０は、その一面に粘着剤層が設けられて構成され、ロール状に巻回された粘着テープ巻回体１００として結束装置１に装着される。粘着テープ１０は、幅が５〜１０ｍｍ程度のものが用いられる。本実施形態では、粘着テープ１０はクラフト紙や和紙等の紙基材により構成される。
【００１６】
結束装置１は、向かい合わせに対向して備えられた一対の側プレート２ａ、２ｂの間に、巻回体保持部５１と粘着テープ切断部５２とを備える。側プレート２ａ、２ｂは、角を丸めた略長方形の金属製の薄板であり、軸受３、誘導路２３、取出口２２等が開口されている。
【００１７】
図２に示すように、巻回体保持部５１は、粘着テープ巻回体１００を回転自在に支持する軸受３と、粘着テープ巻回体１００を幅方向の外側から押圧する弾性部材としての一組の押圧バネ３２ａ、３２ｂとから構成される。巻回体保持部５１は、粘着テープ巻回体１００から引き出される粘着テープ１０を、粘着テープ切断部５２へと供給する。
【００１８】
粘着テープ巻回体１００は、紙芯の外周側に粘着テープ１０が巻回されて構成される。粘着テープ巻回体１００の紙芯の内周側に、円板状のリール１１が嵌装される。
【００１９】
リール１１は、その中心部の幅方向左右外側に突出する円筒状の回転軸１１ａを備える。リール１１が嵌装された粘着テープ巻回体１００は、結束装置１の側プレート２ａ、２ｂそれぞれに形成された軸受３に装着されることで、リール１１を介して回転可能に支持される。なお、リール１１の外周側には、紙芯とリール１１とが滑らないように、所定間隔で径方向の突起を設けてもよい。
【００２０】
押圧バネ３２ａ、３２ｂは、側プレート２ａ、２ｂの内側にそれぞれ固定され、リール１１を幅方向の外側から挟持する方向に付勢する板バネとして構成されている。押圧バネ３２ａ、３２ｂがリール１１を挟持することにより、粘着テープ巻回体１００の回転が規制される。これにより、粘着テープ巻回体１００から粘着テープ１０を引き出すときの粘着テープ巻回体１００の回転に抵抗を付加し、粘着テープ１０にテンションがかけられる。このように、押圧バネ３２ａ、３２ｂが粘着テープ巻回体１００の回転に抵抗を付加することにより、抵抗付加部材が構成される。
【００２１】
押圧バネ３２ａ、３２ｂは、軸受３の粘着テープ巻回体１００の挿入方向と略同一の方向に装着される。このように、押圧バネ３２ａ、３２ｂが粘着テープ巻回体１００の挿入方向と略平行に備えられることより、粘着テープ巻回体１００を挿入するとき抵抗が少なくなり、装着が容易となる。
【００２２】
押圧バネ３２ａ、３２ｂの位置は、粘着テープ巻回体１００から粘着テープ１０が引き出される位置とガイドローラ４との間に備えられる。このように構成することにより、粘着テープ巻回体１００から粘着テープ１０が引き出される位置とガイドローラ４との間にテンションがかけられる。
【００２３】
粘着テープ切断部５２は、被結束物を入口部２１から取出口２２へと至る誘導路２３を通過させることに連動して、巻回体保持部５１から引き出された粘着テープ１０を、被結束物の周囲に巻回すると共に所定の長さで切断する。
【００２４】
誘導路２３は、被結束物を入口部２１から取出口２２へと移動させるときの被結束物の通路である。誘導路２３は、入口部２１から取出口２２へと被結束物が容易に通過可能な幅に形成される。誘導路２３には、ガイドローラ４、案内部５、切断ガイドローラ８及び切断部７が備えられる。
【００２５】
入口部２１には、ガイドローラ４が備えられる。ガイドローラ４は、側プレート２ａ、２ｂの入口部２１付近に設けられる固定孔４ａに回転自在に固定され、その外周に粘着テープ１０を回転支持する。
【００２６】
ガイドローラ４は、複数の突起部４１と複数の凹部４２とが周方向に所定間隔で交互に形成されて構成される。本実施形態のガイドローラ４は、八つの突起部４１と八つの凹部４２とにより構成される例を示す。突起部４１の外周側には、粘着テープ１０が粘着面を外側にして巻掛けられる。
【００２７】
ガイドローラ４の突起部４１の外周には、軸方向の内側でその径方向が縮小された溝部４４が形成されている。溝部４４の幅方向の内側に粘着テープ１０が巻掛けられて支持される（図２の上図）。
【００２８】
溝部４４の溝幅は、粘着テープ１０の幅と略同一となるように、粘着テープ１０の幅に対して若干の余裕を含んだ幅に設定される。このように構成することにより、ガイドローラ４の溝部４４によって、ガイドローラ４に巻掛けられる粘着テープ１０の幅方向の位置が規定される。
【００２９】
ガイドローラ４の凹部４２は、被結束物に粘着テープ１０を巻回するときに、被結束物を一時的に収容する。被結束物を入口部２１から取出口２２へと移動させることに連動してガイドローラ４が回転し、ガイドローラ４の回転に従って被結束物の周囲に粘着テープ１０が巻回される。
【００３０】
誘導路２３において、ガイドローラ４と対向する位置には案内部５が備えられる。案内部５は、側プレート２ａ、２ｂに設けられる固定孔５ａに回動可能に固定されると共に、バネ５ｃによりガイドローラ４側に付勢される。案内部５は、ガイドローラ４の突起部４１の溝部４４の形状に噛み合うように凸形状に形成された対向面５ｂを有し、ガイドローラ４との間で粘着テープ１０を挟持する。このような構成により、案内部５の対向面５ｂがガイドローラ４の溝部４４側にはまり込み、粘着テープ１０を把持する。
【００３１】
誘導路２３のガイドローラ４の下方には、切断部７が備えられる。切断部７は、切断カッター１７とテコ部１８とを備える。切断部７は、側プレート２ａ、２ｂの取出口２２付近に設けられる固定孔７ａに進退可能に固定される。テコ部１８は、固定孔７ａから誘導路２３側に延設される。テコ部１８は、切断部７に対して誘導路２３に対向して備えられる切断ガイドローラ８に当接することで、切断部７の切断カッター１７が誘導路２３に進出しない状態で固定する。
【００３２】
切断部７は、側プレート２ａ、２ｂの内側に備えられるバネ７ｂにより、固定孔７ａを中心として反時計回り方向に付勢される。この状態では、切断部７の切断カッター１７が誘導路２３に進出しない状態で側プレート２ａ、２ｂの内側に収納されて静止している。
【００３３】
作業者が被結束物を誘導路２３を入口部２１から取出口２２へと移動させるとき、被結束物が移動することに連動してテコ部１８が下方向に押し下げられ、切断部７が固定孔７ａを中心として時計回り方向に回動する。これにより切断カッター１７が誘導路２３に進出して、粘着テープ１０を切断する。
【００３４】
切断カッター１７の先端部分は鋭利な刃となっている。本実施形態では一例として、刃の中央が鋭角に前進するＶ字状に形成されている。切断カッター１７の中央の鋭角が粘着テープ１０の幅方向中心に的中した後にさらに進出することで、粘着テープ１０が切断される。
【００３５】
切断ガイドローラ８は、切断部７に対して誘導路２３を挟んだ箇所で固定孔８ａに回転自在に取り付けられる。切断ガイドローラ８は、ガイドローラ４と同様に、複数の突起部８１と複数の凹部８２とが周方向に所定間隔で交互に形成されて構成される。本実施形態の切断ガイドローラ８は、八つの突起部８１と八つの凹部８２とにより構成される例を示す。切断ガイドローラ８の突起部８１の外周は、軸方向の内側でその径方向が拡大された凸部８８が形成されている。
【００３６】
ガイドローラ４、案内部５及び切断ガイドローラ８は、ポリエチレン、ポリアセタール等の樹脂を使用したり、ＰＴＦＥ等をコーティングすることにより、粘着テープ１０の粘着面がこれらの表面に固着しにくいように構成される。従って、ガイドローラ４、案内部５及び切断ガイドローラ８は、粘着テープ１０の粘着面が接触しても容易に剥がれるように構成される。
【００３７】
誘導路２３の下方には取出口２２が開口されて形成される。取出口２２は、粘着テープ１０が巻回された被結束物を、結束装置１から取り出すのに適した形状とされており、誘導路２３よりもその開口が大きく、略円形状に開口して形成される。
【００３８】
側プレート２ａ、２ｂの下端は、それぞれ左右方向外側に略直角となるように屈曲して延設されて形成された足部２ｃ、２ｄを有する。足部２ｃ、２ｄは、結束装置１を起立して安定させるための足として機能する。足部２ｃ、２ｄには、滑り止めの底ゴムを装着することが好適である。
【００３９】
結束装置１の粘着テープ切断部５２の端部には、被結束物の先端を切断したり、結束後の粘着テープ１０の先端部を切り揃える等の目的でカッター台３０が設けられている。
【００４０】
図３は、本実施形態の切断部７と切断ガイドローラ８とを説明する斜視図である。
【００４１】
切断ガイドローラ８は、複数の突起部８１（第２突起部）と複数の凹部８２（第２凹部）とが周方向に所定間隔で交互に形成されて構成される。切断ガイドローラ８の突起部８１の外周は、軸方向の内側でその径方向が拡大された凸部８８が形成されている。切断部７のテコ部１８には、切断ガイドローラ８の突起部８１の凸部８８の形状に噛み合うように凹形状に形成された噛合部７１を有する。
【００４２】
粘着テープ１０を切断するときに、外周に粘着テープ１０が巻掛けられた被結束物が、切断ガイドローラ８の凹部８２に一旦収容される。さらに被結束物を押し下げると、切断ガイドローラ８が反時計回り方向に回転しながら被結束物が下方側に送られる。
【００４３】
そして、被結束物が切断部７のテコ部１８を下方に押し下げると、切断部７が固定孔７ａを中心として時計回り方向に回動し、切断カッター１７が誘導路２３に進出して、粘着テープ１０を切断する。このとき被結束物は、切断ガイドローラ８の凹部８２と切断部７のテコ部１８との間に挟持される。被結束物に巻掛けられた粘着テープ１０は、被結束物の直上に位置する切断ガイドローラ８の突起部８１に図中左方向に引っ張られるために、被結束物に巻掛けられた粘着テープ１０にテンションがかけられる。
【００４４】
このような構成により、粘着テープ１０は、巻回体保持部５１において押圧バネ３２ａ、３２ｂに挟持されることで長手方向で固定され、切断部７において切断ガイドローラ８によりテンションがかけられる。従って、切断時に、粘着テープ１０が切断カッター１７により切断される箇所は長手方向にテンションがかけられるために、粘着テープ１０に刃が食い込みやすくなり、粘着テープ１０が逃げることなく、切断が容易となる。
【００４５】
次に、このように構成された結束装置１の結束時の動作を説明する。
【００４６】
図４Ａから図４Ｈは、本発明の第１実施形態の結束装置１における被結束物の結束を示す説明図である。
【００４７】
結束に先立って、巻回体保持部５１に、粘着テープ巻回体１００を装着する。
【００４８】
図４Ａに示すように、粘着テープ巻回体１００にはリール１１が取り付けられる。リール１１が取り付けられた粘着テープ巻回体１００が、結束装置１の軸受３の開放部分から挿入されて、リール１１の回転軸１１ａが軸受３に突き当たることにより装着される。
【００４９】
粘着テープ巻回体１００が軸受３に装着されているとき、押圧バネ３２ａ、３２ｂが、リール１１を幅方向の外側から押圧する。押圧バネ３２ａ、３２ｂがリール１１を押圧することにより、粘着テープ１０が引き出されるときの粘着テープ巻回体１００の回転に抵抗を付加し、粘着テープ１０にテンションがかけられる。
【００５０】
粘着テープ巻回体１００から引き出された粘着テープ１０は、ガイドローラ４の外周に、粘着面を外側にして巻掛けられる。
【００５１】
粘着テープ１０は、ガイドローラ４と案内部５との間に挟持されると共に、切断ガイドローラ８の外周に粘着面を内側にして巻掛けられ固定される。
【００５２】
次に、作業者により、被結束物が入口部２１から結束装置１へと導入される。
【００５３】
図４Ｂに示すように、被結束物を入口部２１に導入すると、まず、ガイドローラ４の凹部４２に被結束物が収容される。このときに、粘着テープ１０が被結束物の周囲に接着する。
【００５４】
図４Ｃから図４Ｅに示すように、被結束物を誘導路２３に従って押し下げると、ガイドローラ４が時計回り方向に回転しながら、被結束物の周囲に粘着テープ１０を巻回する。案内部５は、被結束物をガイドローラ４との間で挟持することで粘着テープ１０を被結束物の周囲に接着させると共に、粘着テープ１０の粘着面同士が接着する。
【００５５】
図４Ｆに示すように、さらに被結束物を押し下げると、切断ガイドローラ８の凹部８２に収容される。この状態でさらに被結束物を押し下げると、切断ガイドローラ８が反時計回り方向に回転しながら被結束物が下方側に送られる。
【００５６】
そして、図４Ｇに示すように、被結束物が切断部７のテコ部１８を下方に押し下げられることで、切断部７が固定孔７ａを中心として時計回り方向に回動し、切断カッター１７が誘導路２３へと進出する。これにより、切断部７の切断カッター１７が、誘導路２３で粘着テープ１０を切断する。
【００５７】
このとき、被結束物は、切断ガイドローラ８の凹部８２と切断部７のテコ部１８との間に挟持されると共に、粘着テープ１０が被結束物の直上に位置する切断ガイドローラ８の突起部８１に図中左方向に引っ張られるために、被結束物に巻掛けられた粘着テープ１０にテンションがかけられる。
【００５８】
これにより、被結束物の周囲に粘着テープ１０の粘着面がより強く巻回される。さらに、粘着テープ１０は、巻回体保持部５１において押圧バネ３２ａ、３２ｂに挟持されることで長手方向で固定され、切断部７において切断ガイドローラ８によりテンションがかけられる。従って、切断時に、粘着テープ１０が切断カッター１７により切断される箇所は長手方向にテンションがかけられるため、粘着テープ１０に刃が食い込みやすくなり、粘着テープ１０が刃から逃げることなく、切断が容易となる。
【００５９】
切断カッター１７による粘着テープ１０の切断位置は、粘着テープ１０が粘着面同士で接着して重なった部分よりも上方、すなわち、粘着テープ１０が重なっていない箇所に設定される。
【００６０】
図４Ｈに示すように、粘着テープ１０が切断された後、粘着テープ１０が巻回された被結束物は、切断部７のテコ部１８を通過して取出口２２へと移動する。テコ部１８が被結束物による押し下げ力を失ったときに、切断部７は、バネ７ｂの付勢力により反時計回り方向に回動し、切断カッター１７が誘導路２３に進出しない状態で側プレート２ａ、２ｂの内側に収納されて静止する。粘着テープ１０が巻回された被結束物は、取出口２２から取り出される。
【００６１】
以上のような動作により、結束装置１によって被結束物に粘着テープ１０が巻回されて切断され、被結束物が結束される。
【００６２】
粘着テープ１０として紙基材のものを使用すると、紙基材の粘着テープ１０は固く伸びにくいため、切断時にカッターの刃が当たったときに粘着テープ１０に刃が食い込むよりも先に粘着テープ１０が逃げてしまう。そのため、紙基材の粘着テープ１０は樹脂基材の粘着テープと比較して切断しにくいという問題がある。さらに、紙基材の粘着テープ１０は、非粘着面に対する粘着力が弱く、粘着テープ巻回体１００の展開力が低く、その結果粘着テープ巻回体１００から引き出される粘着テープ１０のテンションが弱くなり、上記と同様に粘着テープ１０が逃げやすくなり、切断しにくいという問題がある。
【００６３】
本発明の第１実施形態では、このような問題点に対して、押圧バネ３２ａ、３２ｂにより粘着テープ巻回体１００を幅方向の外側から挟持して、粘着テープ１０が引き出されるときの粘着テープ巻回体１００の回転に抵抗を付加し、粘着テープ１０にテンションをかけることができる。
【００６４】
このような構成により、粘着テープ１０を切断するときにテンションをかけることができるので、切断時に粘着テープ１０に刃が食い込みやすくなり、粘着テープ１０が刃から逃げることがなく、紙基材の粘着テープ１０であっても切断が容易となる。
【００６５】
また、本発明の第１実施形態では、切断部７に対向して、複数の突起部８１と複数の凹部８２とが周方向に所定間隔で交互に形成されて構成される切断ガイドローラ８を備えた。切断時に、被結束物が切断ガイドローラ８の凹部８２と切断部７のテコ部１８との間に挟持されると共に、粘着テープ１０が被結束物の直上に位置する切断ガイドローラ８の突起部８１に図中左方向に引っ張られるために、被結束物に巻掛けられた粘着テープ１０にテンションがかけられる。
【００６６】
粘着テープ１０は、巻回体保持部５１において押圧バネ３２ａ、３２ｂに挟持されることで長手方向で固定され、切断部７において切断ガイドローラ８によりテンションがかけられる。さらにガイドローラ４の溝部４４において粘着テープ１０は幅方向の位置が規定される。従って、切断時に、粘着テープ１０が切断カッター１７により切断される箇所は切断カッター１７幅方向中心へと保持されると共に、長手方向にテンションがかけられるために、切断時に粘着テープ１０に刃が食い込みやすくなり、粘着テープ１０が刃から逃げることがなく、切断が容易となる。
【００６７】
なお、第１実施形態において、押圧バネ３２ａ、３２ｂがリール１１を幅方向の外側から挟持することで、リール１１を幅方向外側から付勢して、粘着テープ巻回体１００から粘着テープ１０が引き出されるときの粘着テープ巻回体１００の回転に抵抗を付加するように構成したが、これに限られない。押圧バネ３２ａ、３２ｂが粘着テープ巻回体１００を幅方向の外側から挟持するように構成してもよいし、リール１１と粘着テープ巻回体１００との両方を幅方向の外側から挟持するように構成してもよい。
＜第２実施形態＞
次に、本発明の第２実施形態の結束装置１を説明する。
【００６８】
図５は、本発明の第２実施形態の結束装置１を説明する三面図である。なお、第１実施形態と同様の構成には同一の符号を付し、その説明は省略する。
【００６９】
第２実施形態では、誘導路２３の案内部５よりも取出口２２側に、回転ローラ６を備える。また、第２実施形態では、切断ガイドローラ８を備えず、切断部７のテコ部１８は、ストッパ１９により係止されるように構成した。
【００７０】
回転ローラ６は、側プレート２ａ、２ｂに設けられる固定孔６ａに回転自在に固定される。
【００７１】
回転ローラ６は、外周に粘着テープ１０が粘着面を内側にして巻掛けられる。被結束物が誘導路２３を下方へと移動するとき、粘着面の粘着力により、回転ローラ６から粘着テープ１０が引き出されるための力が必要となり、粘着テープ１０にテンションがかけられる。なお、第２実施形態では、案内部５はバネ５ｃを備えなくともよい。
【００７２】
誘導路２３のガイドローラ４の下方には、切断部７が備えられる。切断部７は、切断カッター１７とテコ部１８とを備える。切断部７は、側プレート２ａ、２ｂの取出口２２付近に設けられる固定孔７ａに回動可能に固定される。テコ部１８は、固定孔７ａから誘導路２３側に延設される。テコ部１８は、切断部７に対して誘導路２３に対向して備えられるストッパ１９に当接することで、切断部７の回転を規制する。
【００７３】
切断部７は、側プレート２ａ、２ｂの内側に備えられるバネ７ｂにより、固定孔７ａを中心として反時計回り方向に付勢される。バネ７ｂの付勢力により反時計回り方向に付勢されて、テコ部１８がストッパ１９に当接する。この状態では、切断部７の切断カッター１７が誘導路２３に進出しない状態で側プレート２ａ、２ｂの内側に収納されて静止している。
【００７４】
作業者が被結束物を誘導路２３を入口部２１から取出口２２へと移動させるとき、被結束物がテコ部１８を下方向に押し下げる。このとき、切断部７が固定孔７ａを中心として時計回り方向に回動する。これにより切断カッター１７が誘導路２３に進出して、粘着テープ１０を切断する。
【００７５】
切断カッター１７の先端部分は鋭利な刃となっており、刃の中央が鋭角に前進するＶ字状に形成されている。切断カッター１７の中央の鋭角が粘着テープ１０の幅方向中心に的中した後前進することで、粘着テープ１０が切断される。
【００７６】
ストッパ１９は、ゴムやエラストマ等の弾性のある材質により形成される。ストッパ１９が弾性の材質で形成されることにより、粘着テープ１０の切断後に、バネ７ｂの付勢力で切断部７のテコ部１８が押し戻されてストッパ１９に当接するときの衝撃や音が吸収されて緩和される。
【００７７】
次に、第２実施形態の結束装置１の結束時の動作を説明する。
【００７８】
図６Ａから図６Ｈは、本発明の第１実施形態の結束装置１における被結束物の結束を示す説明図である。
【００７９】
結束に先立って、巻回体保持部５１に、粘着テープ巻回体１００を装着する。
【００８０】
図６Ａに示すように、粘着テープ巻回体１００にはリール１１が取り付けられる。リール１１が取り付けられた粘着テープ巻回体１００が、結束装置１の軸受３の開放部分から挿入されて、リール１１の回転軸１１ａが軸受３に突き当たることにより装着される。
【００８１】
粘着テープ巻回体１００が軸受３に装着されているとき、押圧バネ３２ａ、３２ｂが、リール１１を幅方向の外側から押圧する。押圧バネ３２ａ、３２ｂがリール１１を押圧することにより、粘着テープ１０が引き出されるときの粘着テープ巻回体１００の回転に抵抗を付加し、粘着テープ１０にテンションがかけられる。
【００８２】
粘着テープ巻回体１００から引き出された粘着テープ１０は、ガイドローラ４の外周に、粘着面を外側にして巻掛けられる。
【００８３】
粘着テープ１０は、ガイドローラ４と案内部５との間に挟持されると共に、回転ローラ６の外周に粘着面を内側にして巻掛けられ固定される。粘着テープ１０は、切断部７により切断されることで、回転ローラ６の付近が終端となる。
【００８４】
この状態では、粘着テープ１０は、押圧バネ３２ａ、３２ｂにより粘着テープ巻回体１００が固定されると共に、回転ローラ６の外周に粘着テープ１０の粘着面が粘着支持される。これにより、両者の間で、粘着テープ１０が長手方向のテンションをかけられたたまま固定されている。
【００８５】
次に、作業者により、被結束物が入口部２１から結束装置１へと導入される。
【００８６】
図６Ｂに示すように、被結束物を入口部２１に導入すると、まず、ガイドローラ４の凹部４２に被結束物が収容される。このときに、粘着テープ１０が被結束物の周囲に接着する。
【００８７】
図６Ｃ、図６Ｄに示すように、被結束物を誘導路２３に従って押し下げると、ガイドローラ４が時計回り方向に回転しながら、被結束物の周囲に粘着テープ１０を巻回する。案内部５は、被結束物をガイドローラ４との間で挟持することで粘着テープ１０を被結束物の周囲に接着させる。
【００８８】
図６Ｅに示すように、さらに被結束物を押し下げると、粘着テープ１０が接着された被結束物が回転ローラ６の表面を沿うように下方に移動し、回転ローラ６を反時計回り方向に回転させる。これにより、回転ローラ６の周囲に接着している粘着テープ１０が、回転ローラ６の回転に従って回転ローラ６から徐々に剥がれ、被結束物を巻回しながら、被結束物から延長する粘着テープ１０の粘着面に粘着面同士で接着する。
【００８９】
図６Ｆに示すように、さらに被結束物を押し下げると、被結束物に連動して切断部７のテコ部１８が下方向に押し下げられる。
【００９０】
図６Ｇに示すように、テコ部１８が押し下げられることで、切断部７が固定孔７ａを中心として時計回り方向に回動し、切断カッター１７が誘導路２３へと進出する。切断カッター１７が誘導路２３に進出することで、誘導路２３に引き出された粘着テープ１０が切断される。
【００９１】
切断カッター１７の先端は、回転ローラ６に近接する位置で粘着テープ１０に当接する。回転ローラ６の外周面には粘着テープ１０が粘着面により粘着支持されているので、粘着テープ１０は長手方向にテンションがかけられる。従って、切断カッター１７が粘着テープ１０を切断するときに粘着テープ１０がテンションがかけられることで、粘着テープ１０に刃が食い込みやすくなり、粘着テープ１０がカッターの刃から逃げることなく容易に切断される。
【００９２】
切断カッター１７による粘着テープ１０の切断位置は、粘着テープ１０が粘着面同士で接着して重なった部分よりも若干の上方、すなわち、粘着テープ１０が重なっていない箇所に設定される。
【００９３】
図６Ｈに示すように、粘着テープ１０が切断された後、粘着テープ１０が巻回された被結束物は、切断部７のテコ部１８を通過して取出口２２へと移動する。テコ部１８が被結束物による押し下げ力を失ったときに、切断部７は、バネ７ｂの付勢力により反時計回り方向に回動し、切断カッター１７が誘導路２３に進出しない状態で側プレート２ａ、２ｂの内側に収納されて静止する。粘着テープ１０が巻回された被結束物は、取出口２２から取り出される。
【００９４】
以上のような動作により、結束装置１によって被結束物に粘着テープ１０が巻回されて切断され、被結束物が結束される。
【００９５】
本発明の第２実施形態では、ガイドローラ４に対向する案内部５の下方に回転ローラ６を備え、回転ローラ６の外周に粘着テープ１０を粘着支持することで粘着テープ１０にテンションがかけられた状態で、回転ローラ６の直近で切断部７の切断カッター１７が粘着テープ１０を切断するように構成した。
【００９６】
このように、粘着テープ１０にテンションがかけられた状態で回転ローラ６の直近で切断することにより、紙基材の粘着テープ１０であっても切断が容易となる。さらに、切断時に作業者が被結束物を勢いよく引き下げた場合にも、粘着テープ１０が回転ローラ６に粘着支持されていることで、反動で粘着テープ１０が結束装置１から外れることが防止される。
【００９７】
＜第３実施形態＞
次に、本発明の第３実施形態の結束装置１を説明する。
【００９８】
図７は、本発明の第３実施形態の結束装置１を説明する三面図である。なお、第１実施形態と同様の構成には同一の符号を付し、その説明は省略する。
【００９９】
第３実施形態では、第１又は第２実施形態のガイドローラ４とは異なり、溝部を有しないガイドローラ４０を備える。ガイドローラ４０の幅は、粘着テープ１０の幅と略同一とする。また、案内部５の対向面５ｂは凸形状ではなくガイドローラ４０の外周に対応した平面とする。
【０１００】
結束装置１のガイドローラ４０が備えられている箇所は、側プレート２ａ、２ｂが互いに幅方向に狭められた狭窄部２ｆが形成されている。狭窄部２ｆは、側プレート２ａ、２ｂの軸受３からガイドローラ４に至る面で互いに近づく側に湾曲すると共に、ガイドローラ４が備えられる箇所で互いに平行となるように形成されている。
【０１０１】
狭窄部２ｆの幅方向の距離は、ガイドローラ４０の幅に対して自在回転のための余裕分を含んだ大きさに設定される。すなわち、狭窄部２ｆは、粘着テープ１０の幅と略同一であるが、粘着テープ１０に対して余裕分を含んだ幅に設定される。このように構成することにより、ガイドローラ４０に巻掛けられる粘着テープ１０の幅方向の位置が狭窄部２ｆによって規定される。
【０１０２】
本発明の第３実施形態では、ガイドローラ４０付近で幅方向に狭められた狭窄部２ｆが形成され、狭窄部２ｆによって、ガイドローラ４０に巻掛けられる粘着テープ１０の幅方向の位置が略中央に規定されるように構成した。
【０１０３】
このような構成により、ガイドローラ４０の外周で粘着テープ１０が幅方向にずれることが防止されるので、粘着テープ１０の切断時に粘着テープ１０の幅方向中心に切断カッター１７の幅方向中心が的中して、紙基材の粘着テープ１０であっても切断が容易となる。
【０１０４】
＜第４実施形態＞
次に、本発明の第４実施形態の結束装置１を説明する。
【０１０５】
図８は、本発明の第４実施形態の結束装置１を説明する三面図である。なお、第１実施形態と同様の構成には同一の符号を付し、その説明は省略する。
【０１０６】
第４実施形態では、粘着テープ巻回体１００の外周側から粘着テープ巻回体１００を押圧するように構成された押圧部６０を有する。
【０１０７】
押圧部６０は、側プレート２ａ、２ｂに設けられる固定孔６０ａに回動可能に固定されると共に、バネ６０ｂにより粘着テープ巻回体１００側に付勢される。押圧部６０の粘着テープ巻回体１００の外周面に接する部分には、ゴムやエラストマ等から構成される摩擦面６０ｃが備えられる。
【０１０８】
このように構成された押圧部６０により、粘着テープ巻回体１００を外周側から押圧することによって、粘着テープ巻回体１００から粘着テープ１０を引き出すときの粘着テープ巻回体１００の回転に抵抗を付加し、粘着テープ１０にテンションがかけられる。これにより、抵抗付加部材が構成される。
【０１０９】
このような構成により、押圧部６０が粘着テープ巻回体１００から粘着テープ１０を引き出すときの粘着テープ巻回体１００の回転に抵抗を付加するので、粘着テープ１０にテンションがかけられ、紙基材の粘着テープ１０であっても切断が容易となる。
【０１１０】
以上、本発明の実施形態について説明したが、上記実施形態は本発明の適用例の一つを示したものに過ぎず、本発明の技術的範囲を上記実施形態の具体的構成に限定する趣旨ではない。
【０１１１】
前述の実施形態では、切断カッター１７の刃はＶ字状に構成したが、これに限られることはなく、粘着テープ１０の材質等に適した種々の形状とすることができる。例えば、粘着テープ１０と平行な刃を有する直線状、二箇所またそれ以上の鋭角が突出するＷ字状、Ｖ字の谷が鋭利となり粘着テープ１０の両側から先に切断を開始する逆Ｖ字状、等の形状を有することができる。
【０１１２】
また、前述の実施形態では、押圧バネ３２ａ、３２ｂを板バネとして構成したが、これに限られない。リール１１の回転に抵抗を付加するものであればよく、コイルバネ、皿バネ等の他のバネであってもよいし、ゴム等の弾性部材により構成されていてもよい。
【０１１３】
また、粘着テープ巻回体１００及び／又はリール１１を押圧バネ３２ａ、３２ｂによって挟持するのではなく、リール１１の回転軸１１ａの回転に抵抗を付加するように構成してもよい。例えば、軸受３の形状をテーパ状として回転軸１１ａの回転に抵抗を付加したり、回転軸１１ａの形状を円形ではなく楕円や角を有する形状として、軸受３に対して回転自在とならないように構成してもよい。
【０１１４】
また、回転軸１１ａと軸受３との間で回転不能となるように構成して、リール１１の外周と粘着テープ巻回体１００の紙芯の内周とが抵抗を付加しながら滑るように構成して、粘着テープ１０が引き出されるときの粘着テープ巻回体１００の回転に抵抗を付加するように構成してもよい。
【０１１５】
また、粘着テープ巻回体１００の粘着テープ１０が引き出される位置とガイドローラ４との間であって、粘着テープ１０の直上に（図４Ａ中のＸで示す）、側プレート２ａ又は２ｂのいずれかからリブを突出させ、粘着テープ１０が結束装置１の外側へとから外れることを防止して、粘着テープ１０にテンションをかけられように構成してもよい。また、リブが粘着テープ１０にわずかに接触するように設けてもよく、リブに粘着テープ１０が接触することで、さらにテンションをかけるようにすることもできる。
【０１１６】
なお、上記第１実施形態、第２実施形態、第３実施形態及び第４実施形態は、それぞのれ構成を組み合わせて構成してもよい。例えば、切断ガイドローラ８を備えず回転ローラ６を備える第２実施形態において、押圧バネ３２ａ、３２ｂに代えて、第４実施形態の押圧部６０を備えるように構成してもよい。
【符号の説明】
【０１１７】
１    結束装置（バッグシーラー）
２ａ、２ｂ    側プレート
２ｆ    狭窄部
３    軸受
４    ガイドローラ
５    案内部
６    回転ローラ
７    切断部
８    切断ガイドローラ
１０    粘着テープ
１１    リール
１７    切断カッター
１８    テコ部
１９    ストッパ
２１    入口部
２２    取出口
２３    誘導路
３０    カッター台
３２ａ、３２ｂ    押圧バネ
４０    ガイドローラ
４１    突起部
４２    凹部
４４    溝部
５１    巻回体保持部
５２    粘着テープ切断部
６０    押圧部
１００    粘着テープ巻回体
【図１】
2018140825.tif 000003
【図２】
2018140825.tif 000004
【図３】
2018140825.tif 000005
【図４Ａ】
2018140825.tif 000006
【図４Ｂ】
2018140825.tif 000007
【図４Ｃ】
2018140825.tif 000008
【図４Ｄ】
2018140825.tif 000009
【図４Ｅ】
2018140825.tif 000010
【図４Ｆ】
2018140825.tif 000011
【図４Ｇ】
2018140825.tif 000012
【図４Ｈ】
2018140825.tif 000013
【図５】
2018140825.tif 000014
【図６Ａ】
2018140825.tif 000015
【図６Ｂ】
2018140825.tif 000016
【図６Ｃ】
2018140825.tif 000017
【図６Ｄ】
2018140825.tif 000018
【図６Ｅ】
2018140825.tif 000019
【図６Ｆ】
2018140825.tif 000020
【図６Ｇ】
2018140825.tif 000021
【図６Ｈ】
2018140825.tif 000022
【図７】
2018140825.tif 000023
【図８】
2018140825.tif 000024